(57)【要約】    【課題】  本発明は、スイッチ装置内部にある頑丈なフォトセンサのハウジング構造を有し、フォトセンサ内の発光素子及び受光素子のリード部を保護し、さらに可視光の発光ダイオードのリード部を保護する構造を有し、遊技者のボタンの押し方によらず破壊せず、確実なスイッチ操作を行うことができるスイッチ装置を提供することを目的とする。  【解決手段】  投光器５１と受光器５２とを互いに対向配置した状態で正面視略凹字形のハウジング部材４５に囲繞し、遊技機に固定されるスイッチケース２０、３０に対してオン・オフ操作時に相対可動する操作部材２１に形成した遮光片３９を用いて、上記略凹字形の溝部空間４７における光軸を遮光することにより、上記オン・オフ操作を検知するよう構成したフォトセンサを備えた遊技機のスイッチ装置１０、１１であって、上記ハウジング部材４５、４８に、上記溝部空間の少なくとも一側面における溝幅間を閉塞して補強する補強部４５ｂを備えて形成したことを特徴とする遊技機のスイッチ装置１０、１１。  【選択図】    図２
2005118403.tif 000002
【特許請求の範囲】
【請求項１】
投光器と受光器とを互いに対向配置した状態で正面視略凹字形のハウジング部材に囲繞し、遊技機に固定されるスイッチケースに対してオン・オフ操作時に相対可動する操作部材に形成した遮光片を用いて、上記略凹字形の溝部空間における光軸を遮光することにより、上記オン・オフ操作を検知するよう構成したフォトセンサを備えた遊技機のスイッチ装置であって、
上記ハウジング部材に、上記溝部空間の少なくとも一側面における溝幅間を閉塞して補強する補強部を備えて形成したことを特徴とする
遊技機のスイッチ装置。
【請求項２】
前記ハウジング部材の近傍に、発光する発光器を備え、
上記ハウジング部材を、前記補強部が上記発光器を囲繞可能に構成したことを特徴とする
請求項１に記載の遊技機のスイッチ装置。
【請求項３】
前記ハウジング部材の内部に、前記投光器、前記受光器、又は／及び前記発光器を保護する構造を設けたことを特徴とする
請求項２に記載の遊技機のスイッチ装置。
【請求項４】
前記ハウジング部材の内部に、前記投光器、前記受光器、又は／及び前記発光器における各リード部を保護する構造を設けたことを特徴とする
請求項２に記載の遊技機のスイッチ装置。
【請求項５】
前記ハウジング部材を前記スイッチケースと一体に構成したことを特徴とする請求項１から４のいずれか１つに記載の遊技機のスイッチ装置。
【発明の詳細な説明】
【技術分野】
【０００１】
本発明は、スロットマシン等の遊技機に用いられ、遊技操作を行うためのスイッチ装置に関するものである。
【背景技術】
【０００２】
従来の遊技機に用いられるスイッチ装置としては、例えばスロットマシンの場合、特開平８−２９８０４２号公報に示されているように、遊技機の前面上部に設けられている複数個のリールに対応して配置された複数のストップボタンやメダルを賭けるとき等に操作するＭＡＸ ＢＥＴ ボタン等で、スイッチ内部に可視光の発光ダイオードを有していて、スイッチの内側から、指で押すスイッチ表面部材を照らしており、遊技者は容易にスイッチ装置を視認できる。
【０００３】
前記可視光の発光ダイオードはスイッチ内部にある基板上にフォトセンサとともにハンダ付けされている。前記フォトセンサは一定の高さを持った立方体状の投光部と同じく立方体状の受光部とを有し、それぞれの底部が凹状に連結され、凹部の窪みの部分は投光部から受光部への光路となる部分で光軸形成部となっている。前記ボタンを押すとボタン内の遮光片が光軸を遮断してスイッチ操作するようになっている。
【０００４】
しかし、上記のような遊技機のスイッチ装置では、遊技者のボタンの押し方によって非常に強い衝撃が連続して加わり、スイッチ装置内のフォトセンサのハウジングが破壊されたり、フォトセンサ内に収容されている発光素子及び受光素子のリードが折れたり、更には可視光の発光ダイオードのリードが折れたりする問題があった。
【０００５】
【特許文献１】特開平０８−２９８０４２号公報
【発明の開示】
【発明が解決しようとする課題】
【０００６】
本発明は、スイッチ装置内部にある頑丈なフォトセンサのハウジング構造を有し、フォトセンサ内の発光素子及び受光素子のリード部を保護し、さらに可視光の発光ダイオードのリード部を保護する構造を有し、遊技者のボタンの押し方によらず破壊せず、確実なスイッチ操作を行うことができるスイッチ装置を提供することを目的とする。
【課題を解決するための手段】
【０００７】
投光器と受光器とを互いに対向配置した状態で正面視略凹字形のハウジング部材に囲繞し、遊技機に固定されるスイッチケースに対してオン・オフ操作時に相対可動する操作部材に形成した遮光片を用いて、上記略凹字形の溝部空間における光軸を遮光することにより、上記オン・オフ操作を検知するよう構成したフォトセンサを備えた遊技機のスイッチ装置であって、上記ハウジング部材に、上記溝部空間の少なくとも一側面における溝幅間を閉塞して補強する補強部を備えて形成したことを特徴とする。
【０００８】
上記スイッチケースは、四角柱形、円筒形、楕円柱形、偏平柱形などを備えた構成を含み、スロットマシンに取り付け可能に形成していればよい。
【０００９】
上記ハウジング部材は、例えば、正面視略凹字形の部位に、該ハウジング部材を基板に対してビス留めにより取り付けるための取り付け部を備えて構成する、あるいは、抵抗器も含めてハウジング可能に構成してもよい。すなわち、上記投光器と上記受光器とを互いに対向配置させた状態でハウジングした正面視略凹字形のフォトセンサの構成が、全体に対して要部を占有している構成であればよい。
【００１０】
また、前記ハウジング部材の近傍に、発光する発光器を備えている場合、上記ハウジング部材を、前記補強部が上記発光器を囲繞可能に一体に構成すると全体の剛性が向上するとともに、部品点数を低減することができるので好ましい。
【００１１】
前記ハウジング部材は、内部に、前記投光器、前記受光器、又は／及び前記発光器の全体を保護する構成に限らず、各素子、あるいはリード部の所定部位のみ等、特定の部位のみを保護する構造としてもよい。
【００１２】
また、前記ハウジング部材は、前記スイッチケースと一体に構成すれば、例えば金型を用いてハウジング部材とスイッチケースとを一括で製造することができる。
【００１３】
上記操作部材は、オン・オフ操作したとき可動する、可動部であるため、いわゆるスイッチのボタンに相当する部材を示すが、オン・オフ操作したことを認知させるためにレンズ等を備えて構成することを含む。
【００１４】
上記補強部は、例えば、正面視略凹字形をしたハウジング部材の上端部の高さと一致しない構成とする、あるいは、溝幅間を横架する構成とする等、上記遮光片が衝突せずに溝幅（スリット）間を閉塞してハウジング部材を補強できる構成であればよい。
【発明の効果】
【００１５】
この発明によれば、スイッチ装置内部にあるフォトセンサのハウジン部材を、補強部を備えて構成することにより、フォトセンサのハウジング部材の剛性を向上させることができるため、ハウジング部材内部の発光部、受光部、又は／及び投光部等をより完全に保護することができる。
【００１６】
また、前記補強部を、可視光の発光部、受光部、又は／及び投光部における各素子だけでなく、リード部を保護する構造とすれば、該リード部が屈折したり、基板から外れてしまうことを防止することができ、耐震動性を向上させることができる。
特に、ハウジング部材を投光器と受光器だけでなく発光器もともにハウジングした構成とすれば、剛性をより向上させることができるだけでなく、部品点数を減らして製造コストを低減することができる。
また、前記ハウジング部材は、前記スイッチケースと一体に構成してもよい。上記構成とすれば、よりスイッチ装置全体の剛性が向上するとともに、製造コストを低減することができる。
【発明を実施するための最良の形態】
【００１７】
本発明の一実施形態を、以下図面を用いて説明する。  
本発明のスイッチ装置１０は、図１に示すごとく外観構成をし、例えば遊技機として代表的なスロットマシンにおいて、遊技する際、メダルを賭けるとき等に操作するものであり、通常、スロットマシンに螺合により設置されている（図示せず）。
【００１８】
上記スイッチ装置１０の構成は、図２に示すごとく、大別すると遊技機に固定されるスイッチケース２０と、オン・オフ操作時に可動する操作部材２１と、該オン・オフ操作を検知する制御基板２２とその他、スプリング２５、及び裏蓋２６とで構成される。
【００１９】
上記スイッチケース２０の構成は、胴部２３と鍔部２４とから成り、該鍔部２４は、該胴部２３の上端部に、スロットマシンに取り付けたとき、スロットマシンの表面に現れるよう、段部２０ａを介して構成している。また、上記胴部２３は、外形形状が筒状であり、下面視すると（下方から底面を上方向に視ると）、半円弧状を対向させてその端部どうしを直線で結んで構成した形状、すなわち楕円形状におけるその短軸両端部に相当する部位周辺を扁平させた扁平形状で形成している。
【００２０】
さらに、上記胴部２３における鍔部２４の上記半円弧状部位に相当する部位には、上端部から中間部にかけてスロットマシンに取り付けるための螺合雄部２０ｂを形成している。
【００２１】
また、胴部２３における上下方向の中間相当部の内部中央部には、スプリング２５を起立状態で載置するための載置部２７を構成している（図９（ｂ）参照）。上記載置部２７の中央部には、後述する発光器５３（発光ダイオード）（図８参照）が挿し込み可能な円形に形成して、該円形を上記胴部２３において扁平させた一方の側に向けて切り欠いて後述する遮光片３９が挿し込み可能に平面視鍵穴形状の挿通孔２７ａを構成している（図９（ｂ）参照）。
【００２２】
さらに、胴部２３における内周部における扁平形の上記鍔部２４の長軸両端部に対する各部位には、外方向に突形に窪んだ案内凹部３２を胴部２３の上端部から下部にかけて合計４つ形成している。
【００２３】
次に、上記操作部材２１は、内筒部材３３、レンズ３６、及び拡散シート３７から成り（図２参照）、まず、内筒部材３３については、円筒状をした胴部３４と、該胴部３４の上端部に位置する平面視楕円形の鍔部３５とから構成している。さらに、上記内筒部材３３の内部には、上記鍔部３５上端部から胴部２３中間部にかけて中心軸で突き出した回転放物面３８を構成し、該回転放物面３８の下端部は、平面視円形の貫通孔３８ａを形成している。
【００２４】
さらに、図３に示すごとく、上記貫通孔３８ａの縁部裏面における鍔部２４の短軸両端部における一方の側に相当する部位には、下方に突き出した遮光片３９を形成している。
【００２５】
また、上記胴部２３の下端部における鍔部３５の長軸両端部に相当する部位には、当該操作部材２１を上記スイッチケース２０に取り付けるためのストッパ４１を互いに対向させた状態で形成している。上記ストッパ４１は、ともに下方に突き出した板状のアーム部４１ａと該アーム部４１ａの先端部に位置する外側に突き出したフック部４１ｂとから構成される。さらに上記ストッパ４１の胴部２３における周方向の両側には、該ストッパ４１をよりたわみ易くするためのスリット４１ｃを上下方向に形成している。
【００２６】
また、上記各ストッパ４１に対して周方向におけるさらに両側であって、当該操作部材２１を上記スイッチケース２０に嵌め込んだとき、スイッチケース２０の案内凹部３２に対応する部位には、胴部２３の上下方向にかけて外側に突き出した被案内凸部４２を形成している。  
また、上記被案内凸部４２は、その先端部の成す角が上記案内凹部３２の先端部の成す角よりも大きく形成している。
【００２７】
なお、上記内筒部材３３の鍔部２４は、上方から赤色透明色をしたレンズ３６を、楕円形をして発光素子５３ｃが発光した光を拡散させる拡散シート３７を介して嵌め込み可能に形成しており（図２参照）、図３では、レンズ３６を、拡散シート３７を介して鍔部３５に嵌め込んで操作部材２１を一体とした状態を示す。
【００２８】
次に、図４に示すごとく、制御基板２２には、平面視矩形の４隅、及び、矩形における一方の対向辺における中間部を切り欠いた切り欠き部４４ａを形成した基板４４を備えている。
【００２９】
上記基板４４には、合成樹脂部材で構成したハウジング部材４５が取り付けられている。上記ハウジング部材４５は、フォトセンサ用ハウジング部４５ａ、発光器用ハウジング部４５ｂ、抵抗器用ハウジング部４５ｃとから成り、上記各部を一体に構成して成る。  
具体的には、上記フォトセンサ用ハウジング部４５ａは、投光器と受光器を収納可能な四角柱状の投光器用ハウジング部４５ｄ、及び受光器用ハウジング部４５ｅをそれぞれ対向配置した状態で各部間の下部を結合して一体に形成した正面視略凹字形で構成される。  
さらに、上記発光器用ハウジング部４５ｂは、上記フォトセンサ用ハウジング部４５ａにおける上記正面視凹字形の溝部空間４７の一方の側面に、発光器５３を収納可能な円柱状の発光器用ハウジング部４５ｂが該一方の側面におけるフォトセンサ用ハウジング部４５aの溝空間４７の幅間を閉塞するように一体に構成している。  
また、上記投光器用ハウジング部４５ｄ、受光器用ハウジング部４５ｅ、及び発光器用ハウジング部４５ｂにおける上部には、各ハウジング部に取り付けられる投光器５１、受光器５２、及び発光器５３の各素子が収納可能な投光素子収納部４５ｈ、受光素子収納部４５ｉ、及び発光素子収納部４５ｇを形成している（図６（ｂ）、図７参照）。
【００３０】
そして、抵抗器用ハウジング部４５ｃは、上記フォトセンサ用ハウジング部４５ａの奥行き方向における発光器用ハウジング部４５ｂを結合した側と反対側における下部に形成している。
【００３１】
また、上記ハウジング部材４５には、下面において下方に突き出した位置決め突起４５ｆを形成し、該位置決め突起４５ｆを基板４４の所定部位に穿設した位置決め孔４４ｂに挿通することにより、上記ハウジング部材４５は、基板４４に一体に取り付けることができる。ここで、ハウジング部材４５の基板４４に対する取り付け形態については、上記位置決め突起４５ｆを上記位置決め孔４４ｂに挿し込んだとき、上記基板４４における中央部に発光器用ハウジング部４５ｂが位置するように取り付けられる。
【００３２】
上記制御基板２２は、基板４４に対して抵抗器５４、ハウジング部材４５、さらに受光器５２、あるいは投光器５１、発光器５３の順に取り付けることにより図５に示すごとく、一体とすることができる。
【００３３】
具体的には、抵抗器５４を基板４４における所定部位に取り付け、上記ハウジング部材４５を上記取り付け形態を採るように位置決めして基板４４に取り付ける。さらに、投光器５１、受光器５２、発光器５３をそれぞれ基板４４に取り付けたハウジング部材４５における投光器用ハウジング部４５ｄ、受光器用ハウジング部４５ｅ、発光器用ハウジング部４５ｂに取り付ける。
【００３４】
ここで、発光器５３については、図６（ｂ）に示すごとく、発光素子５３ａから突き出した２本のリード部５３ｂを円柱状の内部に、上記発光素子５３ａが該円柱状の上端部に当接するまで挿し込み、さらに、発光素子５３ａが発光素子収納部４５ｇに嵌めこまれるまで挿し込んで取り付ける。
【００３５】
また、投光器５１については、投光素子５１ａから２本のリード部５１ｂが突き出しており（図４参照）、投光器５１を嵌め込み可能に投光器用ハウジング部４５ｄを形成している。
【００３６】
また、受光器５２については、受光素子５１ａからそれぞれ３本のリード部５２ｂが突き出しており形成している（図４参照）。
【００３７】
具体的には、図８に示すごとく、投光器用ハウジング部４５ｂ、及び受光器用ハウジング部４５ｅは、上述した発光器５３、及び受光器５２のリード部５１ｂ、５２ｂの形態を考慮して、各リード部５１ｂ、５２ｂが挿し込み可能に形成している。
【００３８】
このように、投光器５１、受光器５２、発光器５３のいずれのリード部における基板４４に対しての取り付け側の端部は、リード部外周部からハウジング部材４５が包持することで、ハンダ付けしている部位に過度な力が加わることを防止することができる。
【００３９】
しかも、投光器用ハウジング部４５ｄ、受光器用ハウジング部４５ｅにおける溝部空間４７に対して反対側の面には、フラップ部４５ｋ、４５ｌを形成しているため（図７、図８参照）、該フラップ部４５ｋ、４５ｌが投光素子５１ａ、及び、受光素子５１ｂを一旦、投光素子収納部、及び受光素子収納部に収納すれば、位置がずれようとしてもフラップ部４５ｋ、４５ｌがたわみ変形して投光素子５１ａと受光素子５１ｂに対して所定の位置に復帰する方向に付勢することにより、投光素子５１ａ、及び、受光素子５１ｂを安定した状態で収納することができる。
【００４０】
なお、制御基板２２には、基板４４における中間部に対して上記ハウジング部材４５を取り付けた側と反対側における裏面側にソケット部材４６を構成している。
【００４１】
また、スイッチ装置１０の裏面を閉口するために裏蓋２６が取り付けられるが、該裏蓋２６における中間部位に対して一方の側には、矩形をした開口部２６aを形成している（図２参照）。
【００４２】
上述した各部材によってスイッチ装置１０は構成されるが、上記構成を採る各部材を用いてスイッチ装置１０を組み立てる組み立て手順について説明を行う。  
まず、スイッチケース２０における載置部２７にスプリング２５を載置する。そして、操作部材２１を上記スイッチケース２０の周方向に一致させて、上方から挿し込む。ここで操作部材２１におけるストッパ４１のアーム部４１ａは、フック部４１ｂがスイッチケース２０に嵌めこむ際にスイッチケース２０内周面に当接することで内側にたわみ変形した状態で挿し込まれていき、操作部材２１のフック部４１ｂは、スイッチケース２０の内周面との当接が解放されると、たわみ変形していたアーム部４１ａが復元するとともにスイッチケース２０の内周面係合される。上述のように操作部材２１をスイッチケース２０に挿し込めば、図９（ｂ）に示すごとく、操作部材２１における胴部３４の内部には、載置部２７上に載置したスプリング２５が内包された状態で挿し込むことができる。
【００４３】
しかも、操作部材２１は、スイッチケース２０に対して操作部材２１を下方に動作させたとき、操作部材２１における遮光片３９が、スプリング２５の内部、載置部２７の中心部に位置する挿通孔２７ａに挿通されるような位置関係で挿し込まれている。
【００４４】
このように上記案内凹部３２に被案内凸部４２を嵌合することにより、該上記案内凹部３２は、上記スイッチケース２０に対して周方向についての相対動作が規制するとともに、上下方向についての相対動作のみが許容するように被案内凸部４２を案内するため、上記操作部材２１は、上下方向にのみ可動することができる。
【００４５】
また、制御基板２２は、基板４４に対してハウジング部材４５を上方に位置させるとともに、ソケット部材４６を下方に位置させた状態で、且つ、上記載地部２７の挿通孔２７ａにおける切り込み部がハウジング部材４５における溝部空間４７に対応するように位置させた状態でスイッチケース２０の裏面から上方に挿し込む。
【００４６】
このように制御基板２２を上方に挿し込んでいくと、制御基板２２の隅部の上端部は、上記スイッチケース２０の内壁面に形成した段部に当接する。
一方、制御基板２２における発光器５３は、載置部２７の挿通孔２７ａに挿し込まれた状態で、該挿通孔２７ａから突き出した状態となる。
【００４７】
そして、スイッチ装置１０は、裏蓋２６でスイッチケース２０の下端部を閉口すれば、開口部２６ａからソケット部材４６が突き出した状態で嵌め込むことができる。しかも、裏蓋２６の上面における外周部に形成した鍔部２４が制御基板２２の隅部の下端部に当接して位置決めすることができる。
【００４８】
以上により、遊技機に固定されるスイッチケース２０に対してオン・オフ操作時に相対可動する操作部材２１に形成した遮光片３９を用いて、上記略凹字形の溝部空間４７における光軸を遮光することにより、上記オン・オフ操作を検知することができるとともに、該検知した信号をもとに発光素子５３ａを発光させることができる。
【００４９】
ここで、スロットマシンを稼動中に、利用者が熱中してスイッチ装置１０におけるレンズ３６（操作部材２１）を激しく、あるいは連続的に叩いた場合における上記制御基板２２について着目する。 
上記制御基板２２には、上述したように投光器５１、受光器５２、及び発光器５３などが取り付けられているが、これら投光器５１、受光器５２、及び発光器５３の各先端には、各素子５１ａ、５２ａ、５３ａが位置し、該各素子５１ａ、５２ａ、５３ａは、リード部５１ｂ、５２ｂ、５３ｂを介して基板４４に取り付いているため、通常では基板４４の振動に伴って、上記各素子５１ａ、５２ａ、５３ａが振動してしまいリード部５１ｂ、５２ｂ、５３ｂが基板４４から外れてしまう等、破損の原因となる。
【００５０】
しかし、投光器５１、受光器５２、発光器５３における上記各素子５１ａ、５２ａ、５３ａ、及びリード部５１ｂ、５２ｂ、５３ｂは、上述したとおり、ハウジング部材４５で固定されている。特に各素子５１ａ、５２ａ、５３ａをハウジング部材４５で固定することで、基板４４の振動に伴って各素子５１ａ、５２ａ、５３ａが振動することを防止することができるため、リード部部５１ｂ、５２ｂ、５３ｂに曲げ応力が作用することがない。
【００５１】
しかも、上記ハウジング部材４５自体は、上記位置決め突起４５ｆを位置決め孔４４ｂに挿し込むことにより基板４４に対して強固に固定されているため、基板４４が振動してもハウジング部材４５自体が基板４４に対して相対的に揺れることもない。
【００５２】
また、上記ハウジング部材４５は、投光器５１と受光器５２だけでなく発光器５３、及び抵抗器５４を全て一体の部材で構成されているため、例えば、通常のフォトセンサと比較して部材全体の剛性が向上し、耐震動性が向上するため内部の素子を保護することができる。しかも、ハウジング部材４５を一体に構成することで、位置決め突起４５ｆ、及び位置決め孔４４ｂは、制御基板２２において、１つで賄うことができる、ハウジング部材４５を基板４４に取り付けるのも容易に行うことができるため、製造コストも抑えることができる。
【００５３】
特に、本発明のスイッチ装置１０は、上述するように連続的に、且つ、激しい衝撃が付与される機会が多いため、上記ハウジング部材４５は、このようなスイッチ装置１０に用いられることに適している。しかも、本発明のスイッチ装置１０では遮光片３９は、ハウジング部材４５における溝部空間４７の中央部においてのみ可動するため、溝部空間４７の奥行き方向の一方の側に発光器用ハウジング部４５ｂを備えても、発光器用ハウジング部４５ｂと遮光片３９とが接触することがないため、センサの検知精度に影響を来たすこともない。
【００５４】
また、他の実施の形態として、スイッチ装置は、上記ハウジング部材４５をスイッチケース２０と一体に構成してもよい。具体的には、図１0（ｂ）に示すハウジング部４８を備えたスイッチケース３０のごとく、スイッチケース３０における上記載置部２７とハウジング部材４５を一体とするために、上記ハウジング部材４５の投光器用ハウジング部４５ｄ、及び受光器用ハウジング部４５ｅを上記載置部２７の位置まで伸ばした形態とする。さらに、上記載置部２７とハウジング部材４５を一体とした部材をスイッチケース３０における内周壁から架設して上記ハウジング部材４５と上記スイッチケース２０とを一体とすることでハウジング部を備えたスイッチケース３０を構成することができる。
【００５５】
ここで、上記構成を採るスイッチ装置１１の組み立て手順について説明する。まず、上記ハウジング部４8を備えたスイッチケース３０に対して、上述と同様に上方から投光器５１、受光器５２、及び発光器５３をハウジング部材４５に嵌め込んで取り付けておく。
【００５６】
さらに、載置部２７にスプリング２５を載置し、操作部材２１をスイッチケース２０に嵌め込んで取り付ける。一方、図１１に示すごとく、スイッチ装置１０の裏方から、表面に上記抵抗器５４、裏面にソケット部材４６を予め取り付けた基板４４を嵌め込む。さらに、投光器５１、受光器５２、及び発光器５３における各リード部５１ｂ、５２ｂ、５３ｂを基板４４に挿し込んだ状態でハンダ付けにより取り付け、裏蓋２６を嵌め込めばスイッチ装置１１を組み立てることができる。
【００５７】
上記構成を採るスイッチ装置１１は、上記ハウジング部材４５とスイッチケース２０とを一体の部材とすることでより剛性を向上させることができる。しかも、金型により一括製造ができるとともに、その後の組み立ても不要となるため、製造コストをさらに省くことができる。
【００５８】
さらに、他の実施形態として、例えば、基板４４上において、投光器５１と受光器５２とを発光器５３から分割して投光器５１、及び受光器５２用のハウジング部材を設ける場合、あるいは、発光器５３を用いずに、オン・オフ操作の検知のみを行う場合において、ハウジング部材は、例えば、上記溝部空間４７の少なくとも一側面における溝空間４７における幅間を閉塞して補強する補強壁面部を備えて形成してもよい。
【００５９】
具体的には、上記補強壁面部は、オン・オフ操作時に可動する操作部材２１の遮光片３９が降下して、該遮光片３９が上記溝部空間４７に位置したとき、ハウジング部材における奥行き方向において、該遮光片３９に対して片側、あるいは、両側にを形成することができる。
【００６０】
上記構成を採れば、上記ハウジング部材は、従来の正面視略凹字形のフォトセンサのハウジング部材と同様に投光器５１と受光器５２のみをハウジングしたものであるが、補強壁面部を形成することで剛性が向上するため、内部に収納した投光器５１、及び受光器５２をより完全に保護することができる。  
なお、上記補強壁面部は、溝空間４７における幅間を閉塞してハウジング部材を補強する形態であれば、いずれの高さであってもよい。
【００６１】
上述の実施形態と、この発明の構成との対応において、この実施形態の発光器用ハウジング部４５ｂ、及び補強壁面部は、この発明の補強部に対応するも、この発明は、上述の実施形態の構成のみに限定されるものではなく、多くの実施の形態を得ることができる。
【図面の簡単な説明】
【００６２】
【図１】本発明のスイッチ装置を表す外観図。
【図２】本発明のスイッチ装置の各構成部材を表す外観図。
【図３】スイッチケースを表す外観図。
【図４】制御基板の各構成部材を表す外観図。（ａ）、図３の電気機器用カバーの右側面図（ｂ）、図３の電気機器用カバーの左側面図（ｃ）、図３の電気機器用カバーの平面図（ｄ）。
【図５】制御基板を表す外観図。
【図６】制御基板を表す平面図（ａ）、図６（ａ）におけるＡＡ線視図（ｂ）。
【図７】図６（ａ）におけるＢＢ線視図。
【図８】図６（ａ）におけるＣＣ線視図。
【図９】本発明のスイッチ装置の平面図（ａ）、図９（ａ）におけるＡＡ線視図（ｂ）。
【図１０】本発明の他のスイッチ装置の平面図（ａ）、図９（ａ）におけるＡＡ線視図（ｂ）。
【図１１】本発明の他のスイッチ装置を組み立てる状態を表した外観図。
【符号の説明】
【００６３】
１０、１１…スイッチ装置
２０、３０…スイッチケース
２１…操作部材
４５…ハウジング部材
４７…溝部空間
４８…ハウジング部
【図１】
2005118403.tif 000003
【図２】
2005118403.tif 000004
【図３】
2005118403.tif 000005
【図４】
2005118403.tif 000006
【図５】
2005118403.tif 000007
【図６】
2005118403.tif 000008
【図７】
2005118403.tif 000009
【図８】
2005118403.tif 000010
【図９】
2005118403.tif 000011
【図１０】
2005118403.tif 000012
【図１１】
2005118403.tif 000013